【手続補正書】
【提出日】平成20年10月31日(2008.10.31)
【手続補正１】
【補正対象書類名】特許請求の範囲
【補正対象項目名】全文
【補正方法】変更
【補正の内容】
【特許請求の範囲】
【請求項１】
複数の潜在的供給源の中からデータ信号供給源を選択する方法において、
（ａ）該複数の潜在的供給源の中から供給源を選択する段階と、
（ｂ）バイアススイッチを用いてその供給源と物理インタフェースとの接続を可能にする段階と、
（ｃ）通信速度の表示について、その選択された供給源を監視する段階と、
（ｄ）通信速度の表示が全く観察されない場合に、段階（ａ）に戻る段階と、
（ｅ）通信速度の表示が観察された場合に、段階（ａ）での前記の選択を維持する段階と、
からなる方法。
【請求項２】
段階（ａ）に戻り、前記の選択された供給源からのデータ信号が不存在となったとき、前記複数の潜在的供給源の中から供給源を選択する段階をさらに含んでなる請求項１に記載の方法。
【請求項３】
前記通信速度が、アイドル信号により表示される請求項１に記載の方法。
【請求項４】
前記アイドル信号が、ノーマルリンクパルスである請求項３に記載の方法。
【請求項５】
前記アイドル信号が、マルチレベル層３パルスである請求項３に記載の方法。
【請求項６】
複数の潜在的供給源の中からデータ信号供給源を選択する方法において、
（ａ）該複数の潜在的供給源の中から供給源を選択する段階と、
（ｂ）バイアススイッチを用いてその供給源と物理インタフェースとの接続を可能にする段階と、
（ｃ）後続するオートネゴシエーション期間の表示について、その選択された供給源を監視する段階と、
（ｄ）その後続するオートネゴシエーション期間の満了を待ち受ける段階と、
（ｅ）該オートネゴシエーション期間の満了後、通信速度の表示が全く観察されない場合、段階（ａ）に戻る段階と、
（ｆ）オートネゴシエーション期間の満了後、通信速度の表示が観察される場合、段階（ａ）での前記選択を維持する段階と、
からなる方法。
【請求項７】
段階（ａ）に戻り、前記の選択された供給源からのデータ信号が不存在となったとき、前記複数の潜在的供給源の中から供給源を選択する段階をさらに含んでなる請求項６に記載の方法。
【請求項８】
前記後続するオートネゴシエーション期間が、アイドル信号により表示される請求項６に記載の方法。
【請求項９】
前記アイドル信号が、高速リンクパルスである請求項８に記載の方法。
【請求項１０】
前記のオートネゴシエーション期間の満了を待ち受ける段階は、約２０秒待機することからなる請求項６に記載の方法。
【請求項１１】
複数の潜在的供給源の中からデータ信号供給源を選択する方法において、
（ａ）該複数の潜在的供給源の中から供給源を選択する段階と、
（ｂ）バイアススイッチを用いてその供給源と物理インタフェースとの接続を可能にする段階と、
（ｃ）通信速度または後続するオートネゴシエーション期間の表示について、その選択された供給源を監視する段階と、
（ｄ）通信速度または後続するオートネゴシエーション期間の表示が全く観察されない場合、段階（ａ）に戻る段階と、
（ｅ）通信速度の表示が観察された場合に、段階（ａ）での前記選択を維持する段階と、
（ｆ）その後続するオートネゴシエーション期間の表示が観察された場合、後続するオートネゴシエーション期間の満了を待ち受ける段階と、
（ｇ）そのオートネゴシエーション期間の満了後、通信速度の表示が全く観察されない場合、段階（ａ）に戻る段階と、
（ｈ）そのオートネゴシエーション期間の満了後、通信速度の表示が観察される場合、段階（ａ）での前記選択を維持する段階と、
からなる方法。
【請求項１２】
段階（ｄ）または（ｇ）のいずれかの一方の後に実施すべく、前記の選択された供給源からのデータ信号が不存在となったとき、段階（ａ）に戻る段階をさらに含んでなる請求項１１に記載の方法。
【請求項１３】
前記通信速度が、アイドル信号により表示される請求項１１に記載の方法。
【請求項１４】
前記アイドル信号が、ノーマルリンクパルスである請求項１３に記載の方法。
【請求項１５】
前記アイドル信号が、マルチレベル層３パルスである請求項１３に記載の方法。
【請求項１６】
前記の後続するオートネゴシエーション期間が、アイドル信号により表示される請求項１１に記載の方法。
【請求項１７】
前記アイドル信号が、高速リンクパルスである請求項１１に記載の方法。
【請求項１８】
前記のオートネゴシエーション期間の満了を待ち受ける段階は、約２０秒待機する段階からなる請求項１１に記載の方法。
【請求項１９】
データジャック上の２つのピン対のいずれがネットワークデバイスから送信されたデータ信号を搬送しているかを識別するためのメディアコンバータ用の方法であって、該メディアコンバータは、ネットワークデバイスからのデータ信号が供給されるべき入力ポートを有する物理インタフェースを含み、該メディアコンバータはさらに、データジャックと物理インタフェースとの間に介在するスイッチと、物理インタフェースとデータジャックとの方向性接続を可能にする少なくとも１つのバイアススイッチを含む方法において、
前記データジャック上の第１のピン対と該データジャック上の第２のピン対との間で前記物理インタフェース上の入力ポートを交互に接続すべく、前記スイッチと前記バイアススイッチとを用いる段階と、
前記ネットワークデバイスが通信することになる前記速度の表示について、前記物理インタフェースの入力ポートに接続されたピン対を監視する段階と、
前記通信速度を決定したとき、前記データジャック上の前記第１のピン対と前記データジャック上の前記第２のピン対との間で前記物理インタフェースを交互に接続することを中止する段階と、
からなる方法。
【請求項２０】
前記データジャックは、ＲＪ−４５データジャックである請求項１９に記載の方法。
【請求項２１】
前記ネットワークデバイスが通信することになる速度の表示について、前記物理インタフェースの入力ポートに接続されたピン対を監視する段階は、搬送されているアイドル信号について該ピン対を監視する段階を含んでなる請求項１９に記載の方法。
【請求項２２】
前記アイドル信号が、ノーマルリンクパルスである請求項２１に記載の方法。
【請求項２３】
前記アイドル信号が、マルチレベル層３パルスである請求項２１に記載の方法。
【請求項２４】
後続するオートネゴシエーション期間の表示について前記物理インタフェースの入力ポートに接続された前記ピン対を監視する段階と、
該後続するオートネゴシエーション期間の表示が観察された場合、その後続するオートネゴシエーション期間の満了を待ち受ける段階と、
該後続するオートネゴシエーション期間の満了の後、前記ネットワークデバイスが通信することになる前記速度の表示について前記物理インタフェースの入力ポートに接続されたピン対を監視する段階と、
前記通信速度を決定したとき、前記データジャック上の前記第１のピン対と該データジャック上の前記第２のピン対との間で前記物理インタフェースを交互に接続することを中止する段階と、
をさらに含んでなる請求項１９に記載の方法。
【請求項２５】
前記後続するオートネゴシエーション期間の表示について前記物理インタフェースの入力ポートに接続された前記ピン対を監視する段階は、搬送されているアイドル信号について該ピン対を監視する段階を含んでなる請求項２４に記載の方法。
【請求項２６】
前記アイドル信号が、高速リンクパルスである請求項２５に記載の方法。
【請求項２７】
第１の端部と第２の端部を有し、該第１の端部はデータ信号の複数の潜在的供給源のいずれかに接続可能であって、該第２の端部は第１の媒体を通して伝播する信号から第２の媒体を通して伝播する信号へとデータ信号を変換する物理インタフェースの入力ポートに接続されるスイッチと、
物理インタフェースとデータジャックとの方向性接続を可能とする少なくとも１つのバイアススイッチと、
前記物理インタフェースに接続された光トランシーバと、
該物理インタフェースに接続された論理デバイスと、
を含んでなるメディアコンバータにおいて、該論理デバイスは、
論理デバイスにより反復的な接続を中止するよう命令されるまで、前記スイッチが複数の潜在的データ供給源の各々にその第１の端部を１つずつ反復的に接続するようにし、
前記データ信号が通信されることになるデータ転送レートを通知する信号を前記物理インタフェースから受信し、
前記データ信号が通信されることになるデータ転送レートを通知する信号を受信したとき、前記スイッチに対しその反復的な接続を中止するよう命令する、
ように構成されてなるメディアコンバータ。
【請求項２８】
前記論理デバイスがさらに、
前記データ信号が少なくとも部分的に不存在となる期間が後続していることを通知する前記信号を前記物理インタフェースから受信し、
前記データ信号が少なくとも部分的に不存在となる期間が満了するのを待ち受け、
前記データ信号が通信されることになるデータ転送レートを通知する前記信号を前記物理インタフェースから受信し、
前記データ信号が通信されることになるデータ転送レートを通知する前記信号を受信したとき、前記スイッチに前記の反復的な接続を中止するよう命令する、
ように構成されてなる請求項２７に記載のメディアコンバータ。
【請求項２９】
前記データ信号が少なくとも部分的に不存在となる期間が、オートネゴシエーション期間からなる請求項２８に記載のメディアコンバータ。
【請求項３０】
前記論理デバイスが、マイクロプロセッサである請求項２７に記載のメディアコンバータ。
【請求項３１】
前記論理デバイスが、特定用途向け集積回路である請求項２７に記載のメディアコンバータ。
【請求項３２】
前記第１の媒体が、金属導電路からなる請求項２７に記載のメディアコンバータ。
【請求項３３】
前記第２の媒体が、光ファイバからなる請求項２７に記載のメディアコンバータ。
【請求項３４】
前記第１の媒体が、光ファイバからなる請求項２７に記載のメディアコンバータ。
【請求項３５】
前記第２の媒体が、金属導電路からなる請求項２７に記載のメディアコンバータ。
【請求項３６】
前記データ信号が通信されることになるデータ転送レートを通知する信号が、前記物理インタフェースによって提供されたトライステート信号から誘導される２ビットデジタル信号である請求項２７に記載のメディアコンバータ。
【請求項３７】
第１の端部と第２の端部を有し、該第１の端部はデータ信号の複数の潜在的供給源のいずれかに接続可能であって、該第２の端部は第１の媒体を通して伝播する信号から第２の媒体を通して伝播する信号へとデータ信号を変換する物理インタフェースの入力ポートに接続されるスイッチと、
物理インタフェースと複数の潜在的供給源との方向性接続を可能とする少なくとも１つのバイアススイッチと、
前記物理インタフェースに接続された光トランシーバと、
実際に前記データ信号を搬送している複数の潜在的データ供給源のうちの１つに対し前記物理インタフェースの入力ポートを接続するために前記スイッチを制御する手段と、
を含み、
前記物理インタフェースはデータ信号のデータ転送レートを検出する、
ように構成されてなるメディアコンバータ。
【請求項３８】
第１の端部と第２の端部を有し、該第１の端部はデータ信号の複数の潜在的供給源のいずれかに接続可能であって、該第２の端部は第１の媒体を通して伝播する信号から第２の媒体を通して伝播する信号へとデータ信号を変換する物理インタフェースの入力ポートに接続されるスイッチと、
物理インタフェースと複数の潜在的供給源との方向性接続を可能とする少なくとも１つのバイアススイッチと、
前記物理インタフェースに接続された光トランシーバと、
実際に前記データ信号を搬送している複数の潜在的データ供給源のうちの１つに対し前記物理インタフェースの入力ポートを接続するために前記スイッチを制御する手段と、
を含み、
前記物理インタフェースはデータ信号のデータ転送レートを検出するように構成されてなるメディアコンバータにおいて、
前記メディアコンバータ内で前記第１の媒体を介して前記スイッチに接続された第１のネットワークデバイスと、
前記メディアコンバータ内で光トランシーバに前記第２の媒体を介して接続された第２のネットワークデバイスと、
を含んでなるメディアコンバータ。
【請求項３９】
前記第１のネットワークデバイスが、スイッチを含んでなる請求項３８に記載のネットワーク配置。
【請求項４０】
前記第１のネットワークデバイスが、ハブを含んでなる請求項３８に記載のネットワーク配置。
【請求項４１】
前記第１のネットワークデバイスが、ワークステーションを含んでなる請求項３８に記載のネットワーク配置。
【請求項４２】
前記第１の媒体が、金属導体である請求項３８に記載のネットワーク配置。
【請求項４３】
前記第２の媒体が、光ファイバである請求項３８に記載のネットワーク配置。
【請求項４４】
前記第１の媒体が、光ファイバである請求項３８に記載のネットワーク配置。
【請求項４５】
前記第２の媒体が、金属導体である請求項３８に記載のネットワーク配置。
【請求項４６】
前記供給源の監視が、ノーマルリンクパルス、マルチレベル層３パルスおよび高速リンクパルスの監視を含む請求項１に記載の方法。
【請求項４７】
前記供給源の監視が、ノーマルリンクパルス、マルチレベル層３パルスおよび高速リンクパルスの監視を含む請求項６に記載の方法。
【請求項４８】
前記供給源の監視が、ノーマルリンクパルス、マルチレベル層３パルスおよび高速リンクパルスの監視を含む請求項１１に記載の方法。
【請求項４９】
前記ピン対の監視が、ノーマルリンクパルス、マルチレベル層３パルスおよび高速リンクパルスの監視を含む請求項１９に記載の方法。
【請求項５０】
複数の潜在的供給源の中からデータ信号供給源を選択する方法において、
（ａ）該複数の潜在的供給源の中から供給源を選択する段階と、
（ｂ）通信速度の表示について、段階（ａ）で選択された供給源を監視する段階であって、供給源の監視がノーマルリンクパルス、マルチレベル層３パルスおよび高速リンクパルスの監視を含む段階と、
（ｃ）通信速度の表示が全く観察されない場合に、段階（ａ）に戻る段階と、
（ｄ）通信速度の表示が観察された場合に、段階（ａ）での供給源の選択を維持する段階と、
からなる方法。
【請求項５１】
複数の潜在的供給源の中からデータ信号供給源を選択する方法において、
（ａ）該複数の潜在的供給源の中から供給源を選択する段階と、
（ｂ）後続するオートネゴシエーション期間の表示について、段階（ａ）で選択された供給源を監視する段階であって、供給源の監視がノーマルリンクパルス、マルチレベル層３パルスおよび高速リンクパルスの監視を含む段階と、
（ｃ）その後続するオートネゴシエーション期間の満了を待ち受ける段階と、
（ｄ）該オートネゴシエーション期間の満了後、通信速度の表示が全く観察されない場合、段階（ａ）に戻る段階と、
（ｅ）オートネゴシエーション期間の満了後、通信速度の表示が観察される場合、段階（ａ）で既に選択した供給源の選択を維持する段階と、
からなる方法。
【請求項５２】
複数の潜在的供給源の中からデータ信号供給源を選択する方法において、
（ａ）該複数の潜在的供給源の中から供給源を選択する段階と、
（ｂ）通信速度または後続するオートネゴシエーション期間の表示について、段階（ａ）で選択された供給源を監視する段階であって、供給源の監視がノーマルリンクパルス、マルチレベル層３パルスおよび高速リンクパルスの監視を含む段階と、
（ｃ）通信速度または後続するオートネゴシエーション期間の表示が全く観察されない場合、段階（ａ）に戻る段階と、
（ｄ）通信速度の表示が観察された場合に、段階（ａ）での前記選択を維持する段階と、
（ｅ）その後続するオートネゴシエーション期間の表示が観察された場合、後続するオートネゴシエーション期間の満了を待ち受ける段階と、
（ｆ）そのオートネゴシエーション期間の満了後、通信速度の表示が全く観察されない場合、段階（ａ）に戻る段階と、
（ｇ）そのオートネゴシエーション期間の満了後、通信速度の表示が観察される場合、段階（ａ）で既に選択した供給源の選択を維持する段階と、
からなる方法。
【請求項５３】
データジャック上の２つのピン対のいずれがネットワークデバイスから送信されたデータ信号を搬送しているかを識別するためのメディアコンバータ用の方法であって、該メディアコンバータは、ネットワークデバイスからのデータ信号が供給されるべき入力ポートを有する物理インタフェースを含み、該メディアコンバータはさらに、データジャックと物理インタフェースとの間に介在するスイッチを含む方法において、
前記データジャック上の第１のピン対と該データジャック上の第２のピン対との間で前記物理インタフェース上の入力ポートを交互に接続すべく、前記スイッチを用いる段階と、
前記ネットワークデバイスが通信することになる前記速度の表示について、前記物理インタフェースの入力ポートに接続されたピン対を監視する段階であって、当該ピン対は前記第１のピン対と前記第２のピン対の少なくとも一方に対応し、ピン対の監視がノーマルリンクパルス、マルチレベル層３パルスおよび高速リンクパルスの監視を含む段階と、
前記通信速度を決定したとき、前記データジャック上の前記第１のピン対と前記データジャック上の前記第２のピン対との間で前記物理インタフェースを交互に接続することを中止する段階と、
からなる方法。